(57)【要約】【課題】施工過程で、積層されたフィルム層を１枚ずつ剥離しながら使用可能な養生用積層部材及びそれを用いた施工方法を提供する。【解決手段】本発明は、複数のシート層２と、各シート層２の底面の一部に粘着する複数の粘着層３と、複数のシート層２のうち、最下層のシート層２の底面に粘着する最下部粘着層４と、最下部粘着層４の底面に貼り付けられる剥離紙５とを有し、各シート層２は、粘着層３を介して下層のシート層２に貼り付けられ、最下層のシート層２は粘着層３を介して最下部粘着層４に貼り付けられる養生用積層部材である。【選択図】図１
2018103435.tif 000002
【特許請求の範囲】
【請求項１】
養生用の部材であって、
複数のシート層と、
前記各シート層の底面の一部に粘着する複数の粘着層と、
前記複数のシート層のうち、最下層のシート層の底面に粘着する最下部粘着層と、
前記最下部粘着層の底面に貼り付けられる剥離紙と、を有し、
前記各シート層は、前記粘着層を介して下層のシート層に貼り付けられ、最下層のシート層は前記粘着層を介して上記最下部粘着層に貼り付けられる
養生用積層部材。
【請求項２】
養生用の部材であって、
複数のシート層と、
前記複数のシート層のうち最下層のシート層を除く各シート層の底面の一部に粘着する複数の粘着層と、
前記複数のシート層のうち、最下層のシート層の底面に粘着する最下部粘着層と、
前記最下部粘着層の底面に貼り付けられる剥離紙と、を有し、
前記各シート層は、前記粘着層を介して下層のシート層に貼り付けられ、最下層のシート層は前記最下部粘着層に貼り付けられる
養生用積層部材。
【請求項３】
前記シート層は、合成樹脂フィルム、合成紙、耐水性の加工を施した紙のいずれかである請求項１又は請求項２に記載の養生用積層部材。
【請求項４】
前記シート層は、ポリエチレンテレフタラート、ポリプロピレン、ポリ塩化ビニル、ポリエチレン、ポリスチレンのいずれかの樹脂が成形されたものである
請求項１又は請求項２に記載の養生用積層部材。
【請求項５】
前記粘着層は、アクリル系粘着剤、ゴム系粘着剤、ウレタン系粘着剤、及びシリコーン系粘着剤のいずれかである
請求項１乃至請求項４のいずれか１項に記載の養生用積層部材。
【請求項６】
前記最下部粘着層は、基材に、合成樹脂フィルム、合成紙、耐水性の加工を施した紙のいずれかを使用して、表面及び底面の少なくともいずれかに粘着性を持たせたものである
請求項１乃至請求項５のいずれか１項に記載の養生用積層部材。
【請求項７】
前記粘着層は、着色されている
請求項１乃至請求項６のいずれか１項に記載の養生用積層部材。
【請求項８】
前記シート層の表面には塗装方向を示す印刷がなされている
請求項１乃至請求項７のいずれか１項に記載の養生用積層部材。
【請求項９】
請求項１乃至請求項７のいずれか１項に記載の養生用積層部材を用いた施工方法。
【発明の詳細な説明】
【技術分野】
【０００１】
本発明は、複数のフィルム等が剥離可能に積層された養生用積層部材及びそれを用いた施工方法に関する。
【背景技術】
【０００２】
従来、高速道路等の修繕工事などにおいては、その施工過程において、塗料等を塗布すべきでない領域に粘着テープ等を貼り付けて、塗装等が行われている。
【０００３】
例えば、特許文献１では、接着剤が塗布された接着テープに、保護フィルムが接着部を一部残して接着されたものであって、該接着テープの上面に剥離テープが剥離可能に接着された粘着テープが開示されている。これは、吹き付け、刷毛塗り等の工程において、吹き付け等をしてはならない部分をカバーするものである。
【先行技術文献】
【特許文献】
【０００４】
【特許文献１】特開平０６−２６２０８号公報
【発明の概要】
【発明が解決しようとする課題】
【０００５】
しかしながら、高速道路等の修繕工事などでは、その施工過程が複数過程にわたり、プライマー、パテ、炭素繊維の貼り付け、中塗り、そして上塗りの各過程において、特許文献１に示さしたような粘着テープ等を交換して貼り直す必要があることから、作業が煩雑で負担が大きかった。
【０００６】
本発明は、このような課題に鑑みてなされたものであり、その目的とするところは、施工過程で、積層されたフィルム層を１枚ずつ剥離しながら使用可能とし作業の煩雑さを軽減する養生用積層部材及びそれを用いた施工方法を提供することにある。
【課題を解決するための手段】
【０００７】
上記した課題を解決するため、本発明の第１の態様に係る養生用積層部材は、養生用の部材であって、複数のシート層と、前記各シート層の底面の一部に粘着する複数の粘着層と、前記複数のシート層のうち、最下層のシート層の底面に粘着する最下部粘着層と、前記最下部粘着層の底面に貼り付けられる剥離紙とを有し、前記各シート層は、前記粘着層を介して下層のシート層に貼り付けられ、最下層のシート層は前記粘着層を介して上記最下部粘着層に貼り付けられる。
【０００８】
本発明の第２の態様に係る養生用積層部材は、養生用の部材であって、複数のシート層と、前記複数のシート層のうち最下層のシート層を除く各シート層の底面の一部に粘着する複数の粘着層と、前記複数のシート層のうち、最下層のシート層の底面に粘着する最下部粘着層と、前記最下部粘着層の底面に貼り付けられる剥離紙とを有し、前記各シート層は、前記粘着層を介して下層のシート層に貼り付けられ、最下層のシート層は前記最下部粘着層に貼り付けられる。
【０００９】
ここで、前記シート層は、合成樹脂フィルム、合成紙、耐水性の加工を施した紙のいずれかであってよい。前記シート層は、ポリエチレンテレフタラート、ポリプロピレン、ポリ塩化ビニル、ポリエチレン、ポリスチレンのいずれかの樹脂が成形されたものであってよい。前記粘着層は、アクリル系粘着剤、ゴム系粘着剤、ウレタン系粘着剤、及びシリコーン系粘着剤のいずれかであってよい。また、前記最下部粘着層は、基材に、合成樹脂フィルム、合成紙、耐水性の加工を施した紙のいずれかを使用して、表面及び底面の少なくともいずれかに粘着性を持たせたものであってよい。
【００１０】
さらに、前記粘着層は、着色されていてよい。前記シート層の表面には塗装方向を示す印刷がなされていてよい。
【００１１】
以上の養生用積層部材を用いた施工方法も提供される。
【発明の効果】
【００１２】
本発明によれば、施工過程で、積層されたフィルム層を１枚ずつ剥離しながら使用可能とし作業の煩雑さを軽減する養生用積層部材及びそれを用いた施工方法を提供することができる。
【図面の簡単な説明】
【００１３】
【図１】本発明の第１実施形態に係る養生用積層部材の構成図である。
【図２】同養生用積層部材の使用例を説明する図である。
【図３】同養生用積層部材を用いた施工過程を説明する図である。
【図４】同養生用積層部材を用いた施工過程を説明する図である。
【図５】同養生用積層部材を用いた施工過程を説明する図である。
【図６】本発明の第２実施形態に係る養生用積層部材の構成図である。
【図７】本発明の第３実施形態に係る養生用積層部材の表面印刷例である。
【発明を実施するための形態】
【００１４】
以下、図面を参照しつつ本発明の一実施形態について説明する。
【００１５】
＜第１実施形態＞
図１には本発明の第１実施形態に係る養生用積層部材の構成を示し説明する。より詳細には、図１（ａ）は各層が積層される前の様子を示し、図１（ｂ）は各層が積層された後の様子を示している。
【００１６】
図１（ａ）に示されるように、養生用積層部材１は、シート層２の底面の一部に粘着層３が貼り付けられており、該シート層２が、該粘着層３を介して下層の更なるシート層２に粘着されるようにして、９層のシート層２が積層されている。そして、９層目のシート層２の底面には、一部粘着層３を介して最下部粘着層４が貼り付けられ、該最下部粘着層４の底面には剥離紙５が貼り付けられている。
【００１７】
シート層２としては、合成樹脂フィルムや合成紙、耐水性の加工を施した紙等を使用することができる。より詳細には、合成樹脂フィルムとしては、ポリエチレンテレフタラート（PET；polyethylene terephthalate）、ポリプロピレン（PP；polypropylene）、ポリ塩化ビニル（PVC；polyvinyl chloride）、ポリエチレン（PE；poly ethylene）、ポリスチレン（PS；poly styrene）等を採用することができる。
【００１８】
合成紙としては、ユポ等を採用できる。耐水性の加工をした紙とは、工程に塗布される液剤に対して非含浸性のある積層できる枚葉状態のもの、かつ、積層した際に上部の１枚を剥がした際に、それだけが剥がれる剥離処理が施されたものをいう。尚、フィルムよりも厚いものに定義されるシートも同様の効果を奏する。剥離処理については、合成樹脂フィルム及び合成紙についても必要な条件となる。
【００１９】
粘着層３としては、アクリル系粘着剤、ゴム系粘着剤、ウレタン系粘着剤、及びシリコーン系粘着剤のいずれかを採用することができる。例えば、アクリル系粘着剤は、ベースとなるポリマーのTgによって、タックの発現する温度領域が決まるもので、それ単体では粘着力を発現しないので、架橋により凝集力を発現させる。また、例えば、シリコーン系粘着剤は、シリコーンゴムの主ポリマーはポリジメチルシロキサンで、直鎖のゴム状の構成をしている。そして、例えば、ゴム系粘着剤は、ゴム分子中に不飽和結合を有し、劣化しやすいので、劣化防止剤等の添加が行われたものを採用している。
【００２０】
最下部粘着層４としては、基材に、合成樹脂フィルム、合成紙、耐水性の加工を施した紙を使用して、底面に粘着性があるものを用いる。そして、剥離紙（セパレータ）５としては、紙や合成樹脂フィルムの表面にシリコーン加工を施したものを使用する。クラフト紙、グラシン紙、フィルムなどを基材に用いることが可能である。
【００２１】
上記各層の素材の選択については、例えば、シート層２としては、ＰＥＴ＃５０又はＯＰＰ＃４０であって背面にシリコーン処理もしくは剥離処理を施したものを採用し、粘着層３としては、アクリル系粘着剤を採用し、最下部粘着層４としては、基材の底面にアクリル粘着剤を塗布したものを採用することができる。
【００２２】
このような構成において、シート層２の表面は剥離処理されているので、シート層２を粘着層３と共に下層のシート層２の表面から容易に剥がすことができる。従って、１工程ごとに液剤が端部で硬化しても剥ぎ取ることができる。
【００２３】
最下部粘着層４は、底面の全面に粘着剤が塗布されている。従って、粘着のない生地の側面から液剤が染み込むことを防止することができる。また、素地を確認できる。これに対して、９層の積層楮における中間層では、シート層２同士は粘着層３により部分粘着されているので、めくり易く、作業性が良好になる。尚、最下部粘着層４の粘着剤の粘着力は、他の粘着層３の粘着力に比して高くなっているので、シート層２を剥がすときに、最下部まで一度に剥がれてしまうような事態を防止できる。例えば、粘着層３としては、エマルジョン型アクリル系粘着を採用し、最下部粘着層４にはゴム系粘着剤を使用することで粘着力の差を生み出すことが可能となる。アクリル系粘着等は、配合により粘着力を調整できるため、両部材３，４にアクリル系粘着を使用しても、粘着力の差を生み出すことは可能である。
【００２４】
図１（ｂ）に示されるように、養生用積層部材１は、粘着部分と非粘着部分とに大別される。非粘着部分は、例えば幅が１０ｍｍ〜３０ｍｍである。非粘着部分は、シート層２を剥がす際に指を引掛けるために必要であるが、最大値が大きすぎると粘着部分が少なくなり、作業時に浮いてしまう可能性があることから、このサイズが好ましい。
【００２５】
粘着部分は、全体の７０〜９０％である。粘着部分は、全体に対する割合が少ないと作業時に浮いてしまう可能性がある。その一方、逆に割合が多いと非粘着部分の指を引掛ける部分がなくなってしまうので、この割合が好ましい。したがって、養生用積層部材が例えば１００ｍｍ×１００ｍｍの正方形の場合には、非粘着部分の幅が２０ｍｍ、粘着部分の幅が８０ｍｍとするのが理想的である。
【００２６】
ここで、図２を参照して、第１実施形態に係る養生用積層部材の使用例を説明する。
【００２７】
剥離紙５を剥がして、最下部粘着層４の粘着面を露呈させて、当該粘着面をコンクリートに貼り付ける。そして、その施工過程において、プライマー、パテ、炭素繊維の貼り付け、中塗り、そして上塗りの各過程において、フィルム層２を粘着層３と共に１層ずつはがして、作業を進めることになる。液剤の塗布に際しては、ローラーを粘着層３により上下のフィルム層２がしっかりと粘着されている側から一方向でかけるようにすれば、フィルム層２間の隙間から液剤が部材１内に流れ込むのを防止できる。
【００２８】
以下、図３乃至図５を参照して、同養生用積層部材を用いた施工過程を説明する。
【００２９】
図３（ａ）に示されるような施工対象のコンクリートに、図３（ｂ）に示されるように先ずは墨打ちを行う。ここで、「墨打ち」とは、工事の前に、施工対象に中新世や仕上げ面の位置など、基準となる線をしるすことをいう。この例では、墨打ちにより、養生積層部材１の貼り付け面が明確となる。
【００３０】
続いて、図３（ｃ）に示されるように、墨打ちにより特定された領域に、養生用積層部材１を貼り付ける。この状態は、初期状態であるので、第１乃至第６フィルム層ｆ１〜ｆ６が全て積層された状態となっている。
【００３１】
そして、図３（ｄ）に示されるように、プライマーを素地であるコンクリートに直接塗布する。これにより、コンクリート躯体表面の接着性が改善され、以後の塗膜の付着性が良好となる。このプライマーの塗布の後、養生用積層部材１の第１フィルム層ｆ１を剥がすことになる。
【００３２】
続いて、図４（ａ）に示されるように、パテによる不陸修正を行う。パテの施工によればコンクリート躯体の表面の凹凸をなくし、滑らかにすることができる。そして、この補強の後に、第２フィルム層ｆ２を剥がす。
【００３３】
そして、図４（ｂ）に示されるように、先ずは縦方向に炭素繊維シートを貼り付け補強し、第３フィルム層ｆ３を剥がす。そして、図４（ｃ）に示されるように、横方向に炭素繊維シートを貼り付け補強し、第４フィルム層ｆ４を剥がすことになる。この炭素繊維シートの貼り付けでは、炭素繊維シートにエポキシ樹脂を含浸させ、コンクリート躯体に接着させる。また、硬化後はＣＦＲＰ（Carbon Fiber Reinforced Plastics）となり、コンクリートの補強層を形成することができる。
【００３４】
続いて、図４(ｄ)に示されるように、中塗りを行い、第５フィルム層ｆ５を剥がす。中塗りは、炭素繊維シート層の保護及び耐候性向上のために塗布するものである。そして、図５（ａ）に示されるように、意匠性を向上させ、耐候性を向上させるために上塗りを行い、第６フィルム層を剥がし、図５（ｂ）に示されるように施工完成となる。
【００３５】
＜第２実施形態＞
図６には本発明の第２実施形態に係る養生用積層部材の構成を示し説明する。より詳細には、図６（ａ）は各層が積層される前の様子を示し、図６（ｂ）は各層が積層された後の様子を示している。
【００３６】
図６（ａ）に示されるように、養生用積層部材１１は、シート層１２の底面の一部に粘着層１３が貼り付けられており、該シート層１２が、該粘着層１３を介して下層の更なるシート層１２に粘着されるようにして、１０層のシート層１３が積層されている。そして１０層目のシート層１２の底面には、直接的に最下部粘着層１４が貼り付けられ、該最下部粘着層１４の底面には剥離紙１５が貼り付けられている。
【００３７】
シート層１２としては、合成樹脂フィルムや合成紙、耐水性の加工を施した紙等を使用することができる。その詳細は、第１実施形態で前述した通りである。また、粘着層３としては、アクリル系粘着剤、ゴム系粘着剤、ウレタン系粘着剤、及びシリコーン系粘着剤のいずれかを採用することができる。その詳細は、第１実施形態で前述した通りであるので、重複した説明は省略する。
【００３８】
最下部粘着層１４としては、基材に、合成樹脂フィルム、合成紙、耐水性の加工を施した紙を使用して、表面と底面の双方に粘着性があるものを用いる。そして、剥離紙（セパレータ）１５としては、紙や合成樹脂フィルムの表面にシリコーン加工を施したものを使用する。クラフト紙、グラシン紙、フィルムなどを基材に用いることが可能である。
【００３９】
上記各層の素材の選択については、例えば、シート層１２としては、ＰＥＴ＃５０又はＯＰＰ＃４０であって背面にシリコーン処理もしくは剥離処理を施したものを採用し、粘着層１３としては、アクリル系粘着剤を採用し、最下部粘着層１４としては、基材の表面と底面の双方にアクリル粘着剤を塗布したものを採用することができる。
【００４０】
このような構成において、シート層１２の表面は剥離処理されているので、シート層１２を粘着層１３と共に下層のシート層１２の表面から容易に剥がすことができる。従って１工程ごとに液剤が端部で硬化しても剥ぎ取ることができる。
【００４１】
最下部粘着層１４は、表面と底面の全面に粘着剤が塗布されている。従って、粘着のない生地の側面から液剤が染み込むことを防止することができ、素地を確認できる。これに対して、１０層の積層楮における中間層では、シート層１２同士は粘着層１３により部分粘着されているので、めくり易く、作業性が良好になる。尚、最下部粘着層１４の粘着剤の粘着力は、他の粘着層１３の粘着力に比して高くなっているので、シート層を作業工程で1枚ずつ剥がすときに、最下部まで一度に剥がれてしまうような事態を防止することができる。
【００４２】
図１（ｂ）に示されるように、養生用積層部材１は、粘着部分と非粘着部分とに大別される。各サイズや割合については、第１実施形態で前述した通りである。
【００４３】
＜第３実施形態＞
図７には本発明の第３実施形態に係る養生用積層部材の表面印刷例又は着色例を示し説明する。図７（ａ）は、各フィルム層２に塗布方向を示す矢印を印刷したものである。図７（ｂ）は、粘着層に色を付けることで、フィルム層２を介して粘着部分を判断できるようにしたものである。図７（ｃ）も図７（ｂ）と同様であるが、塗布方向を示す矢印の役割も担わせたものとなっている。そして、図７（ｄ）は、粘着層２にグラデーションの色の移り変わりを持たせたもので、これによっても、グラデーションの濃い領域から薄い領域へと塗布方向を示唆することが可能となる。このような工夫によれば、ローラーで作業を行うときに、生地がめくられにくい側が分かり易い。
【００４４】
以上説明したように、本発明によれば、以下の効果が奏される。
【００４５】
（１）養生用の部材であって、複数のシート層２と、前記各シート層の底面の一部に粘着する複数の粘着層３と、前記複数のシート層のうち、最下層のシート層の底面に粘着する最下部粘着層４と、前記最下部粘着層の底面に貼り付けられる剥離紙５とを有し、前記各シート層は、前記粘着層を介して下層のシート層に貼り付けられ、最下層のシート層は前記粘着層を介して上記最下部粘着層に貼り付けられる養生用積層部材が提供される。この養生用積層部材によれば、高速道路等の道路工事の施工において、複数の工程でシートの貼り付けや塗料の塗布等を行う場合に、最初の段階で養生用積層部材を貼り付け、以降、多層構造となっているシート層を１枚ずつ剥がすだけで済むので、作業性が向上する。
【００４６】
（２）養生用の部材であって、複数のシート層１２と、前記複数のシート層のうち最下層のシート層を除く各シート層の底面の一部に粘着する複数の粘着層１３と、前記複数のシート層のうち、最下層のシート層の底面に粘着する最下部粘着層１４と、前記最下部粘着層の底面に貼り付けられる剥離紙１５とを有し、前記各シート層は、前記粘着層を介して下層のシート層に貼り付けられ、最下層のシート層は前記最下部粘着層に貼り付けられる養生用積層部材が提供される。この養生用積層部材によれば、上記（１）と同様に、高速道路等の道路工事の施工において、複数の工程でシートの貼り付けや塗料の塗布等を行う場合に、最初の段階で養生用積層部材を貼り付け、以降、多層構造となっているシート層を１枚ずつ剥がすだけで済むので、作業性が向上する。
【００４７】
（３）上記（１）又は（２）の養生用積層部材において、前記シート層２、１２は、合成樹脂フィルム、合成紙、耐水性の加工を施した紙のいずれかであってよい。従って、工事の内容に応じて、使用する養生用積層部材のシート層に多様なバリエーションを持たせることが可能となる。
【００４８】
（４）上記（１）又は（２）の養生用積層部材において、前記シート層２、１２は、ポリエチレンテレフタラート、ポリプロピレン、ポリ塩化ビニル、ポリエチレン、ポリスチレン等の樹脂が成形されたものであってよい。従って、工事の内容に応じて、使用する養生用積層部材のシート層に多様なバリエーションを持たせることが可能となる。
【００４９】
（５）上記（１）乃至（４）の養生用積層部材において、前記粘着層３、１３は、アクリル系粘着剤、ゴム系粘着剤、ウレタン系粘着剤、及びシリコーン系粘着剤のいずれかでよい。これによれば、塗料等が部材の中に侵入するのを防止できるとともに、良好な剥離性もシート層の表面加工と相まって実現されることになる。
【００５０】
（６）上記（１）乃至（５）のいずれかの養生用積層部材において、前記最下部粘着層４、１４は、基材に、合成樹脂フィルム、合成紙、耐水性の加工を施した紙のいずれかを使用して、表面及び底面の少なくともいずれかに粘着性を持たせたものでよい。これによれば、良好な粘着性が実現されることになる。
【００５１】
（７）上記（１）乃至（６）のいずれかの養生用積層部材において、前記粘着層３、１３は、着色されてよい。これによれば、シート層が多層構造となっている場合に、粘着されている領域と粘着されていない領域を識別できるので、ローラー等で塗料の塗布等を行う場合に塗布方向を正確に把握することが可能となる。
【００５２】
（８）上記（１）乃至（７）のいずれかの養生用積層部材において、前記シート層２、１２の表面には塗装方向を示す印刷がなされてよい。これによれば、上記同様に、塗布方向を正確に把握することが可能となる。
【００５３】
（９）上記（１）乃至（８）の養生用積層部材を用いた施工方法も提供される。これによれば、複数工程からなる道路工事等において、多層に積層されたシート層を剥がすだけで養生を継続して実現することが可能となる。
【００５４】
以上、本発明の一実施形態について説明したが、本発明はこれに限定されることなくその趣旨を逸脱しない範囲で種々の改良・変更が可能であることは勿論である。
【００５５】
例えば、表面印刷例又は着色例は上記にものに限定されず、種々のものを採用できることは勿論である。
【符号の説明】
【００５６】
１…養生用積層部材、２…シート層、３…粘着層、４…最下部粘着層、５…剥離紙、１１…養生用積層部材、１２…シート層、１３…粘着層、１４…最下部粘着層、１５…剥離紙。
【図１】
2018103435.tif 000003
【図２】
2018103435.tif 000004
【図３】
2018103435.tif 000005
【図４】
2018103435.tif 000006
【図５】
2018103435.tif 000007
【図６】
2018103435.tif 000008
【図７】
2018103435.tif 000009